(57)【特許請求の範囲】
【請求項１】
底部と底部にヒンジ部材を介して連結された４つの側壁を有するとともに、底部に側壁を重ねるようにして折り畳むことが可能な折り畳みコンテナーにおいて、折り畳まれた状態から最初に略垂直に立てられる相対する側壁の垂直辺には、該側壁の内壁面に略垂直で、且つ、嵌合孔を有する係合枠を形成するとともに、該係合枠付近の前記側壁には、先端に係止突部が突設された係止弾性片を形成し、また、前記側壁に次いで立てられる相対する側壁には、前記係合枠と対向する角部領域が形成されているとともに、前記角部領域には、前記嵌合孔に挿入される嵌合突部が形成されており、更に、前記角部領域の内壁面には、前記角部領域の垂直端まで延在する、前記係止弾性片の係止突部が挿入される凹み部が形成されていることを特徴とする折り畳みコンテナー。
【請求項２】
嵌合突部の外側角部にテーパーが形成されていることを特徴とする請求項１に記載の折り畳みコンテナー。
【発明の詳細な説明】
【０００１】
【発明の属する技術分野】
本発明は、底部を囲むように配設された側壁が、底部に重なるように折り畳むことが可能な折り畳みコンテナーに関するものである。
【０００２】
【従来の技術】
従来，平面形状が略長方形に形成された底部の相対する長辺部に、ヒンジ部材を介して連結された長側壁と、同じく上記底部の相対する短辺部に、ヒンジ部材を介して連結された短側壁とからなり、底部に対して略垂直に長側壁と短辺部を立てることにより、箱状に組み立てられ、また、折り畳む際には、底部の上に重なるように、長側壁及び短側壁を折り畳むようにした折り畳みコンテナーが知られており、箱状に組み立てられ状態においては、長側壁及び短側壁が、底部方向に倒れないように、互いに、ロック機構により、ロックされるように構成されており、ロック機構は、長側壁或いは短側壁に形成された、先端に凸条突起が形成された弾性を有する板状体を有し、箱状に組み立てられた状態において、板状体が形成されていない一方の側壁の内壁面に、板状体に形成された凸条突起を当接することにより、側壁が、底部方向に倒れないように構成されている（例えば、実公平７−２４１３号公報等）。
【０００３】
【発明が解決しようとする課題】
従来の折り畳みコンテナーにおいては、長側壁及び短側壁が、底部方向に倒れないように配設されたロック機構が、箱状に組み立てられ状態において、折り畳みコンテナー内に突出し、折り畳みコンテナーに物品を収容する際に、物品が係合機構に当接して、物品が損傷したり、ロック機構が破損する等の問題があった。
【０００４】
本発明の目的は、上述した従来の折り畳みコンテナーが有する課題を解決することにある。
【０００５】
【課題を解決するための手段】
本発明は、上述した目的を達成するために、底部と底部にヒンジ部材を介して連結された４つの側壁を有するとともに、底部に側壁を重ねるようにして折り畳むことが可能な折り畳みコンテナーにおいて、第１には、折り畳まれた状態から最初に略垂直に立てられる相対する側壁の垂直辺には、該側壁の内壁面に略垂直で、且つ、嵌合孔を有する係合枠を形成するとともに、該係合枠付近の前記側壁には、先端に係止突部が突設された係止弾性片を形成し、また、前記側壁に次いで立てられる相対する側壁には、前記係合枠と対向する角部領域が形成されているとともに、前記角部領域には、前記嵌合孔に挿入される嵌合突部が形成されており、更に、前記角部領域の内壁面には、前記角部領域の垂直端まで延在する、前記係止弾性片の係止突部が挿入される凹み部が形成されているものであり、第２には、嵌合突部の外側角部にテーパーを形成したものである。
【０００６】
【実施例】
以下に、本発明の実施例について説明するが、本発明の趣旨を越えない限り何ら、本実施例に限定されるものでない。
【０００７】
１は、平面形状が長方形状の底部であり、底部１の相対する長辺側の土手部１ａには、公知のように、適当なヒンジ部材を介して長側壁２が連結されており、また、底部１の相対する短辺側の土手部１ｂには、同じくヒンジ部材を介して短側壁３が連結されており、長側壁２が連結された長辺側の土手部１ａの高さは、短側壁３が連結された短辺側の土手部１ｂの高さより、低く構成されている。
【０００８】
図１に示されているように、箱状に組み立てられた状態の折り畳みコンテナーを折り畳むには、先ず最初に、底部１の相対する長辺側の低い土手部１ａに連結された長側壁２を、折り畳みコンテナーの内側に倒して、図２に示されているように、底部１の上に重ねる。次いで、底部１の相対する短辺側の高い土手部１ｂに連結された短側壁３を、同じく、折り畳みコンテナーの内側に倒して、図３に示されているように、長側壁２の上に重ねて折り畳む。逆に、図３に示されている折り畳まれた状態から、図１に示されているように組み立てるには、長側壁２の上に重ねられた状態の短側壁３を略垂直に立て、次いで、長側壁２を略垂直に立てて、折り畳みコンテナーを箱状に組み立てる。
【０００９】
図４に示されているように、長側壁２は、略方形状の板状部２ａを有しており、板状部２ａには、板状部２ａの上部の両端に位置する縦長の角部領域２ｂを除いて、板状部２ａの上下端辺及び左右端辺に沿って、板状部２ａの面に対して垂直に延在する周辺リブ２ｃが延設されている。周辺リブ２ｃにより囲まれた板状部２ａには、適宜、垂直方向及び水平方向に延在する補強リブ２ｄが、適当本数、形成されている。周辺リブ２ｃや補強リブ２ｄが形成されている側が、箱型に組み立てられた際の折り畳みコンテナーの外側に位置し、長側壁２の外壁面２’を形成するとともに、このような周辺リブ２ｃや補強リブ２ｄが形成されていない、平坦な側が、箱型に組み立てられた際の折り畳みコンテナーの内側に位置し、長側壁２の内壁面２”を形成することになる。
【００１０】
角部領域２ｂの外壁面２’には、上下方向に所定の間隔を置いて、２個の嵌合突部２ｅが形成されており、また、嵌合突部２ｅの略中央部に位置する角部領域２ｂの内壁面２”には、角部領域２ｂの垂直端２ｂ１まで延在する凹み部２ｆが形成されている。なお、角部領域２ｂの上端には、周辺リブ２ｃの上部水平部２ｃ１より下がった水平段部２ｂ２が形成されている。
【００１１】
なお、２ｇは、周辺リブ２ｃの下部水平部２ｃ２の下面に、所定の間隔を置いて、適当数、形成されたヒンジ部材を構成する雄部であり、下部水平部２ｃ２の下面に、所定の間隔を置いて垂設された一対の垂直片２ｇ１と垂直片２ｇ１間に架橋されたピン２ｇ２とから構成されており、底部１に形成された、ヒンジ部材を構成する雌部のフックに、上記雄部のピン２ｇ２を係合させることにより、長側壁２を、底部１にヒンジ結合できるように構成されている。
【００１２】
図５及び図６に示されているように、短側壁３も、長側壁２と同様に、略方形状の板状部３ａを有しており、板状部３ａには、板状部３ａの上下端辺及び左右端辺に沿って、板状部３ａの面に対して垂直に延在する周辺リブ３ｂが延設されている。周辺リブ３ｂにより囲まれた板状部３ａには、適宜、垂直方向及び水平方向に延在する補強リブ３ｃが、適当本数、形成されている。周辺リブ３ｂや補強リブ３ｃが形成されている側が、箱型に組み立てられた際の折り畳みコンテナーの外側に位置し、短側壁３の外壁面３’を形成するとともに、このような周辺リブ３ｂや補強リブ３ｃが形成されていない、平坦な側が、箱型に組み立てられた際の折り畳みコンテナーの内側に位置し、短側壁３の内壁面３”を形成することになる。
【００１３】
短側壁３の内壁面３”の上部垂直辺からは、内壁面３”に略垂直で、且つ、長側壁３に形成されている角部領域２ｂと略同じ大きさの係合枠３ｄが形成されている。係合枠３ｄには、上下方向に所定の間隔を置いて、内壁面３”に略平行な嵌合孔３ｅが、２個、形成されており、嵌合孔３ｅには、上述した長側壁２の角部領域２ｂに突設された嵌合突部２ｅが嵌合するように構成されている。なお、嵌合孔３ｅは、長側壁２の角部領域２ｂに突設された嵌合突部２ｅが嵌合できるものであれば、透孔に限定されることなく、係合枠３ｄの内壁面３”側の面に形成された凹部として形成することもできる。
【００１４】
短側壁３の板状部３ａの上下両端角部付近には、所定の間隔を置いて、所定の長さの２条の水平溝３ｆ１が、係合枠３ｄの端部まで延在するように形成されており、また、係合枠３ｄ側の水平溝３ｆ１の端部に連通する１条の垂直溝３ｆ２が形成されており、２条の水平溝３ｆと１条の垂直溝３ｆ２とにより、コの字状の溝部３ｆが形成されている。板状部３ａにコの字状の溝部３ｆを形成することにより、溝部３ｆで囲まれた部分が、片持ち状の係止弾性片３ｇに形成されている。係止弾性片３ｇの内壁面３”側の先端には、係止突部３ｇ１が突設されており、係止突部３ｇ１の係合枠３ｄ側の垂直面は、好ましくは、係合枠３ｄの内壁面３”側の面３ｄ１と略平行な垂直面３ｇ２に形成されているとともに、係止突部３ｇ１には、垂直面３ｇ２から内壁面３”に向かって傾斜面３ｇ３が形成されている。また、係止弾性片３ｇの係止突部３ｇ１は、その先端３ｇ４が、内壁面３”から、所定量、突出するように形成されており、そして、係止弾性片３ｇは、係合枠３ｄに形成された２個の嵌合孔３ｅ間に位置するように構成されている。
【００１５】
なお、３ｈは、周辺リブ３ｂの下部水平部３ｂ１の下面に、所定の間隔を置いて、適当数、形成されたヒンジ部材を構成する雄部であり、下部水平部３ｂ１の下面に、所定の間隔を置いて垂設された一対の垂直片３ｈ１と垂直片３ｈ１間に架橋されたピン３ｈ２とから構成されており、底部１に形成された、ヒンジ部材を構成する雌部のフックに、上記雄部のピン３ｈ２を係合させることにより、短側壁３を、底部１にヒンジ結合できるように構成されている。
【００１６】
上述した構成を有する底部１、長側壁２及び短側壁３は、射出成形等により、合成樹脂で、それぞれ、一体に成形することが好ましい。
【００１７】
図３に示されているように折り畳まれた状態から、図２に示されているように、短側壁３を略垂直に立てる。次いで、底部１に重なるようにして折り畳まれている一方の長側壁２を、略水平状態から垂直方向に回動させると、長側壁２の角部領域２ｂが、短側壁３に形成された係合枠３ｄに対向するように接近し、更に、長側壁２を、垂直方向に回動させると、長側壁２の角部領域２ｂの垂直端２ｂ１が、短側壁３の内壁面３”から突出している係止弾性片３ｇの係止突部３ｇ１を押して、係止弾性片３ｇを、外側面３’方向に、係止弾性片３ｇの弾性に抗して、回動させる。更に、長側壁２を、垂直方向に回動させると、長側壁２の角部領域２ｂの外壁面２’側の面２ｂ３と、短側壁３の係合枠３ｄの内壁面３”側の面３ｄ１とが当接或いは接近するとともに、長側壁２の角部領域２ｂに突設された嵌合突部２ｅが、短側壁３の係合枠３ｄに形成された嵌合孔３ｅに挿入される。この長側壁２の角部領域２ｂに突設された嵌合突部２ｅが、短側壁３の係合枠３ｄに形成された嵌合孔３ｅに挿入される過程において、長側壁２の角部領域２ｂの垂直端２ｂ１から、短側壁３に形成された係止弾性片３ｇの係止突部３ｇ１が外れて、係止弾性片３ｇが、その弾性により、図５〜図７に示されているような、元の位置に戻るように構成されている。短側壁３に形成された係止弾性片３ｇが元の位置に戻った時点では、係止弾性片３ｇの係止突部３ｇ１の多くの部分或いは全部が、長側壁２の角部領域２ｂに形成された凹み部２ｆに挿入され、長側壁２が略垂直に立てられることになる。同様にして、もう一方の長側壁２を、略水平状態から垂直方向に回動させて、折り畳みコンテナーを箱型に組み立てる。
【００１８】
折り畳みコンテナーを箱型に組み立てた状態においては、長側壁２は、角部領域２ｂの凹み部２ｆに挿入されている短側壁３の係止弾性片３ｇにより、内側への回動が阻止されることになり、従って、長側壁２に外側から負荷が掛かっても、倒れるようなことがない。また、上述したように、折り畳みコンテナーが箱型に組み立てられた状態においては、短側壁３に形成された係止弾性片３ｇの係止突部３ｇ１の多くの部分或いは全部が、長側壁２の角部領域２ｂに形成された凹み部２ｆに挿入されているので、係止弾性片３ｇの係止突部３ｇ１が、実質的に、箱型に組み立てられた折り畳みコンテナーの物品が収容される空間部に突出するようなことがなく、従って、折り畳みコンテナーに物品を収容する際に、物品が、係止弾性片３ｇの係止突部３ｇ１に当接して、物品が損傷したり、係止弾性片３ｇが損傷を受けるようなことが防止できる。
【００１９】
なお、短側壁３に形成された係合枠３ｄの上部には、係合枠３ｄの内壁面３”側の面３ｄ１から突出するとともに、上面が、周辺リブ３ｂの上部水平部３ｂ２の上面と面一な庇部３ｉが形成されている。上述したように、短側壁３と長側壁２とを、略垂直に立てた際には、長側壁２の角部領域２ｂの外壁面２’側の面２ｂ３と、短側壁３の係合枠３ｄの内壁面３”側の面３ｄ１とが当接或いは接近するとともに、長側壁２の角部領域２ｂに形成された水平段部２ｂ２が、短側壁３の係合枠３ｄに形成された庇部３ｉの直下に接近して位置するように構成されている。このように構成することにより、折り畳みコンテナーが組み立てられた状態において、短側壁３に対して、長側壁２の上方向の移動が制限され、長側壁２の上方向の移動が抑制されることになる。
【００２０】
組み立てられた折り畳みコンテナーを折り畳む際には、短側壁３の係止弾性片３ｇを、指や適当な器具により、その弾性に抗して、外側面３’方向に回動させて、係止弾性片３ｇに形成された係止突部３ｇ１を、長側壁２の角部領域２ｂに形成された凹み部２ｆから排出するとともに、係止突部３ｇ１を、長側壁２の角部領域２ｂから外れるまで回動させる。次いで、長側壁２を、底部１方向に回動させて、一対の相対する長側壁２を、底部１上に重ねる。次いで、一対の相対する短側壁３を、底部１上に重ねられた一対の相対する長側壁２の上に重ねることにより、箱型に組み立てられた折り畳みコンテナーを折り畳むことができる。
【００２１】
なお、上述した実施例においては、短側壁３の係合枠３ｄに形成された嵌合孔３ｅ及び長側壁２の角部領域２ｂに突設された嵌合突部２ｅの数を、それぞれ、２個とした例が示されているが、嵌合孔３ｅ及び嵌合突部２ｅの数を、それぞれ、１個とすることも、或いは、３個以上とすることもできる。
【００２２】
また、図４に示されているように、長側壁２の角部領域２ｂに突設された嵌合突部２ｅの垂直端２ｂ１に沿った先端角部のうち、少なくとも、外側角部には、テーパー２ｅ１が形成されている。このように、嵌合突部２ｅの外側角部に、テーパー２ｅ１が形成されておらず、外側角部が略直角に形成され尖っていると、折り畳みコンテナーを組み立てる時に、先に立てられた短側壁３の内壁面３”に、次に立てられる長側壁２の角部領域２ｂに突設された嵌合突部２ｅの外側角部が当接し、長側壁２がスムースに垂直方向へ回動されなくなるとともに、短側壁３の内壁面３”が、嵌合突部２ｅの外側角部により傷つくというトラブルが発生することになる。長側壁２の角部領域２ｂに突設された嵌合突部２ｅの外側角部にテーパー２ｅ１を形成することにより、長側壁２のスムースな垂直方向への回動が促進されるとともに、短側壁３の内壁面３”に、嵌合突部２ｅの外側角部が当接しても、短側壁３の内壁面３”が傷つくようなことがない。なお、嵌合突部２ｅの内側角部にも、テーパー２ｅ２を形成し、嵌合突部２ｅの先端部を先細り状に形成することが好ましい。このように、嵌合突部２ｅの先端部を先細り状に形成することにより、嵌合突部２ｅが、短側壁３の係合枠３ｄに形成された嵌合孔３ｅに容易に嵌合できることになる。
【００２３】
【発明の効果】
本発明は、以上説明した構成を有しているので、以下に記載する効果を奏するものである。
【００２４】
係止弾性片が、実質的に、箱型に組み立てられた折り畳みコンテナーの物品が収容される空間部に突出するようなことがなく、従って、折り畳みコンテナーに物品を収容する際に、物品が、係止弾性片に当接して、物品が損傷したり、係止弾性片が損傷を受けるようなことが防止できる。
【００２５】
嵌合突部の外側角部にテーパーを形成したので、後から立てられる側壁のスムースな垂直方向への回動が促進されるとともに、先に立てられた側壁の内壁面に、嵌合突部の外側角部が当接しても、該側壁の内壁面が傷つくようなことがない。
【図面の簡単な説明】
【図１】図１は本発明の折り畳みコンテナーの組み立てられた状態の斜視図である。
【図２】図２は本発明の折り畳みコンテナーの組み立て途中の斜視図である。
【図３】図３は本発明の折り畳みコンテナーの折り畳まれた状態の斜視図である。
【図４】図４は本発明の折り畳みコンテナーの長側壁の部分斜視図である。
【図５】図５は本発明の折り畳みコンテナーの短側壁の部分斜視図である。
【図６】図６は同じく本発明の折り畳みコンテナーの短側壁の部分斜視図である。
【図７】図７は本発明の折り畳みコンテナーの回動途中の長側壁及び略垂直に立てられた短側壁の部分斜視図である。
【符号の説明】
１・・・・・・・・・・・・底部
２・・・・・・・・・・・・長側壁
２ｂ・・・・・・・・・・・角部領域
２ｅ・・・・・・・・・・・嵌合突部
３・・・・・・・・・・・・短側壁
３ｄ・・・・・・・・・・・係合枠
３ｅ・・・・・・・・・・・嵌合孔
３ｇ・・・・・・・・・・・係止弾性片
【図１】
0003774363.tif 000002
【図２】
0003774363.tif 000003
【図３】
0003774363.tif 000004
【図４】
0003774363.tif 000005
【図５】
0003774363.tif 000006
【図６】
0003774363.tif 000007
【図７】
0003774363.tif 000008